(57)【要約】【課題】採光部のがたつきや縦框及び横框の損傷をできる限り防ぎ、意匠性を維持、向上させるドアを提供する。【解決手段】左右方向で対向する一対の縦框１０Ａ，１０Ｂと、上下方向で対向する一対の横框２０Ａ，２０Ｂとで框組された枠体に採光部３０が嵌め込まれたドア１は、一対の縦框１０Ａ，１０Ｂと採光部３０との間に木口材５０が介在している。木口材５０は、採光部３０を挟持して採光部３０を保持する保持部５１と、縦框１０Ａ，１０Ｂの対向面に沿って延びる腕部５２，５２とを有し、腕部５２，５２の先端部には、保持部５１が突出する向きと同じ向きに突出する突出部５３が設けられ、その内面５２ａが曲面とされている。【選択図】図３
2017110422.tif 000002
【特許請求の範囲】
【請求項１】
左右方向で対向する一対の縦框と、上下方向で対向する一対の横框とで框組された枠体と、
前記一対の縦框のそれぞれの対向面、及び前記一対の横框のそれぞれの対向面の少なくとも何れか一方に対向配置された一対の木口材と、
対をなす端面の少なくとも何れかが前記木口材を介して前記枠体に嵌め込まれた採光部とを有し、
前記木口材は、前記縦框及び前記横框の少なくとも何れか一方の対向面双方に形成された溝に嵌合すると共に、前記採光部の前記端面を挟持して前記採光部を保持するＵ字状の保持部と、該保持部の両端部に連続して、前記対向面に沿って延びる一対の腕部とを有し、
前記腕部の先端部には、前記保持部が突出する向きと同じ向きに突出する突出部が設けられ、その内面が曲面とされたことを特徴とするドア。
【請求項２】
前記腕部の先端部の外面が、前記保持部が突出する向きと同じ向きに凹とした曲面をなしている請求項１に記載のドア。
【請求項３】
前記保持部と前記腕部との連結部分に、前記腕部に対して前記保持部が突出する向きと反対側に突出する第２突出部が形成されている請求項１又は２に記載のドア。
【請求項４】
前記木口材が、前記対向面から挿入され、かつ係止する係止部を備えたアンカー部を有する請求項１〜３の何れか一項に記載のドア。
【請求項５】
前記保持部の対向する挟持片の間隔が、前記保持部の突出する向きにつれて短くなっている請求項１〜４の何れか一項に記載のドア。
【発明の詳細な説明】
【技術分野】
【０００１】
本発明は、家屋などの戸枠又はドア枠に開閉可能に取り付けられ、採光部を有するいわゆる框組構造のドアに関する。
【背景技術】
【０００２】
従来より、採光部や鏡板を有するいわゆる框組構造のドアに関する技術の一例として、特許文献１に記載されているものがある。
図９は、このような従来の框組構造のドアの具体的な構造を示す正面図である。また、図１０は、従来の框組構造のドアの具体的な構造を示す断面図であり、（ａ）は図９のＸａ−Ｘａ線に沿う断面図、（ｂ）は図９のＸｂ−Ｘｂ線に沿う断面図である。
図９及び図１０に示すように、従来の框組構造のドア１００は、一対の縦框１１０（１１０Ａ，１１０Ｂ）と、一対の横框１２０（１２０Ａ，１２０Ｂ）とが框組みされ、その内周面に採光部１３０が嵌め込まれている。
具体的には、一対の横框１２０Ａ，１２０Ｂは、一対の縦框１１０Ａ，１１０Ｂをそれぞれの長手方向の一端１１０Ａｂ，１１０Ｂｂ側、及び他端側１１０Ａｃ，１１０Ｂｃで連結し、互いの対向面１２０Ａａ，１２０Ｂａを対向させて框組みされている。
【０００３】
そして、一対の縦框１１０Ａ，１１０Ｂのそれぞれの対向面１１０Ａａ，１１０Ｂａには、それらの長手方向に沿って縦框溝１１１（１１１Ａ，１１１Ｂ）が一条形成されている。また、一対の横框１２０Ａ，１２０Ｂのそれぞれの対向面１２０Ａａ，１２０Ｂａにも、それらの長手方向に沿って横框溝１２１（１２１Ａ，１２１Ｂ）が一条形成されている。採光部１３０は、縦框溝１１と横框溝２１とに嵌合されて固定されている。
さらに、図１０（ａ），（ｂ）に示すように、縦框１１０Ａ，１１０Ｂのそれぞれの対向面１１０Ａａ，１１０Ｂａ、及び他の側面（上端面及び下端面を除く面）には、化粧シート１４０が貼着されている。
【先行技術文献】
【特許文献】
【０００４】
【特許文献１】特開２００８−５７２６３号公報
【発明の概要】
【発明が解決しようとする課題】
【０００５】
しかしながら、従来の框組構造のドアは、縦框及び横框のそれぞれの対向面に設けられた溝に採光部を直接嵌合させて固定しているため、採光部のがたつきが生じたり、上記対向面に損傷が生じることがあった。このような採光部のがたつきや縦框及び横框の損傷は、結果としてドアの意匠性を低下させてしまうことがあった。
本発明は、このような点に鑑みてなされたものであり、採光部のがたつきや縦框及び横框の損傷をできる限り防ぎ、意匠性を維持、向上させるドアを提供することを目的とする。
【課題を解決するための手段】
【０００６】
上記課題を解決するために、本発明の一態様としてのドアは、左右方向で対向する一対の縦框と、上下方向で対向する一対の横框とで框組された枠体と、
上記一対の縦框のそれぞれの対向面、及び上記一対の横框のそれぞれの対向面の少なくとも何れか一方に対向配置された一対の木口材と、
対をなす端面の少なくとも何れかが上記木口材を介して上記枠体に嵌め込まれた採光部とを有し、
上記木口材は、上記縦框及び上記横框の少なくとも何れか一方の対向面双方に形成された溝に嵌合すると共に、上記採光部の上記端面を挟持して上記採光部を保持するＵ字状の保持部と、該保持部の両端部に連続して、上記対向面に沿って延びる一対の腕部とを有し、
上記腕部の先端部には、上記保持部が突出する向きと同じ向きに突出する突出部が設けられ、その内面が曲面とされている。
【発明の効果】
【０００７】
本発明の一態様によれば、採光部のがたつきや縦框及び横框の損傷をできる限り防ぎ、意匠性を維持、向上させるドアを提供することができる。
【図面の簡単な説明】
【０００８】
【図１】ドアの第１実施形態における構成を示す正面図である。
【図２】ドアの第１実施形態における構成を示す断面図であり、（ａ）は図１のIIａ−IIａ線に沿う断面図、（ｂ）は図１のIIｂ−IIｂ線に沿う断面図である。
【図３】ドアの第１実施形態における木口材の構成を示す正面図である。
【図４】ドアの第２実施形態における木口材の構成を示す正面図である。
【図５】ドアの第３実施形態における木口材の構成を示す正面図である。
【図６】ドアの第４実施形態における木口材の構成を示す正面図である。
【図７】ドアの第４実施形態における左右方向に沿う断面図である。
【図８】ドアの第５実施形態における木口材の構成を示す正面図である。
【図９】ドアの従来の構成を示す正面図である。
【図１０】ドアの従来の構成を示す断面図であり、（ａ）は図９のＸａ−Ｘａ線に沿う断面図、（ｂ）は図９のＸｂ−Ｘｂ線に沿う断面図である。
【発明を実施するための形態】
【０００９】
以下に、ドアの実施形態について図面を参照して説明する。なお、以下の説明では、ドアの使用状態において使用者から見て「上下方向」及びこれに直交する「左右方向」と説明することがある。
【００１０】
（第１実施形態）
＜ドアの構成＞
図１は、ドアの第１実施形態における構成を示す正面図である。図１に示すように、本実施形態のドア１は、一対の縦框１０（１０Ａ，１０Ｂ）と、一対の横框２０（２０Ａ，２０Ｂ）と、採光部３０と、木口材５０とを有する。
【００１１】
＜縦框及び横框＞
一対の縦框１０Ａ，１０Ｂは、例えば、矩形をなし、それぞれの対向面１０Ａａ，１０Ｂａを対向して設けられる。なお、図１では、一方の縦框１０Ａの幅方向（長手方向と直交する方向）の寸法が、他方の縦框１０Ｂの幅方向の寸法より短く記載されているが、縦框１０Ａ，１０Ｂの幅方向の寸法の大小は、目的に応じて適宜規定される。
また、一対の横框２０Ａ，２０Ｂは、一対の縦框１０Ａ，１０Ｂをそれぞれの長手方向の一端１０Ａｂ，１０Ｂｂ側、及び他端側１０Ａｃ，１０Ｂｃで連結し、互いの対向面２０Ａａ，２０Ｂａを対向させた部材である。横框２０も例えば矩形に形成される。横框２０（２０Ａ，２０Ｂ）は、ドア１の使用状態において上桟２０Ａ，下桟２０Ｂと呼ぶことがある。
縦框１０及び横框２０の材料としては、例えば、合板などの木材が挙げられる。
【００１２】
［縦框と横框との連結］
縦框１０及び横框２０は、左右方向で対向する一対の縦框１０Ａ，１０Ｂと、上下方向で対向する一対の横框２０Ａ，２０Ｂとで框組され、枠体をなす。この枠体を構成する縦框１０と横框２０との連結態様は、框組であれば特に制限はないが、例えば、それぞれの連結部分に相互に対応するように等間隔で孔（いわゆるダボ孔）が設けられ、小さな木杭（いわゆるダボ）等で連結する態様が好ましい。具体的には、一対の縦框１０Ａ，１０Ｂをそれぞれの長手方向の一端１０Ａｂ，１０Ｂｂ側の対向面１０Ａａ，１０Ｂａに等間隔で複数の孔が設けられる。これらの孔に対応して、横框（上桟）１０Ａの両端面（対向面１０Ａａ，１０Ｂａに対向する面）に等間隔で複数の孔が設けられる。そして、縦框１０Ａの長手方向の一端１０Ａｂ側の対向面１０Ａａに設けられた複数の孔と、横框１０Ａの一方の端面（対向面１０Ａａに対向する面）に設けられた複数の孔との両方に木杭を接着剤と共に埋設させて縦框１０Ａと横框１０Ａとの連結がなされる。
【００１３】
一方、縦框１０Ｂの長手方向の一端１０Ｂｂ側の対向面１０Ｂａに設けられた複数の孔と、横框１０Ａの他方の端面（対向面１０Ｂａに対向する面）に設けられた複数の孔との両方に木杭を接着剤と共に埋設させて縦框１０Ｂと横框１０Ａとの連結がなされる。
また、一対の縦框１０Ａ，１０Ｂをそれぞれの長手方向の他端１０Ａｃ，１０Ｂｃ側の対向面１０Ａａ，１０Ｂａにも等間隔で複数の孔が設けられる。これらの孔に対応して、横框（下桟）１０Ｂの両端面（対向面１０Ａａ，１０Ｂａに対向する面）に等間隔で複数の孔が設けられる。そして、縦框１０Ａの長手方向の他端１０Ａｃ側の対向面１０Ａａに設けられた複数の孔と、横框１０Ｂの一方の端面（対向面１０Ａａに対向する面）に設けられた複数の孔との両方に木杭を接着剤と共に埋設させて縦框１０Ａと横框１０Ｂとの連結がなされる。
一方、縦框１０Ｂの長手方向の他端１０Ｂｃ側の対向面１０Ｂａに設けられた複数の孔と、横框１０Ｂの他方の端面（対向面１０Ｂａに対向する面）に設けられた複数の孔との両方に木杭を接着剤と共に埋設させて縦框１０Ｂと横框１０Ｂとの連結がなされる。
【００１４】
［溝］
図２（ａ），（ｂ）に示すように、一対の縦框１０Ａ，１０Ｂのそれぞれの対向面１０Ａａ，１０Ｂａには、それらの長手方向に沿って縦框溝１１（１１Ａ，１１Ｂ）が一条形成されている。また、一対の横框２０Ａ，２０Ｂのそれぞれの対向面２０Ａａ，２０Ｂａにも、それらの長手方向に沿って横框溝２１（２１Ａ，２１Ｂ）が一条形成されている。なお、縦框溝１１と横框溝２１とは、縦框１０と横框２０とが框組みされた状態で連通するように形成される。このとき、縦框溝１１と横框溝２１のそれぞれの幅はほぼ同じでも異なってもよい。また、縦框溝１１及び横框溝２１は、目的に応じて複数条が上記長手方向に沿って形成されてもよい。
また、図２（ａ），（ｂ）に示すように、縦框１０Ａ，１０Ｂのそれぞれの対向面１０Ａａ，１０Ｂａを除く他の側面（上端面及び下端面を除く面）には、化粧シート４０が貼着されている。
【００１５】
＜採光部＞
図１及び図２（ａ），（ｂ）に示すように、採光部３０が框組みされた一対の縦框１０Ａ，１０Ｂと、一対の横框２０Ａ，２０Ｂとに挟まれるようにして縦框１０及び横框２０の内側（開口部）に設置されている。
ここで、採光部３０は、板状体をなし、光透過性の材料からなることが好ましい。採光部３０は、適切な強度を有し、軽量であることから、アクリル板などの光透過性の合成樹脂を適用することが好ましい。
採光部３０は、図２（ａ），（ｂ）に示すように、上端部３０Ａが横框溝２１Ａに嵌合し、下端部３０Ｂが横框溝２１Ｂに嵌合している。また、採光部３０の左右方向に沿う一方の端部３０Ｃは、後述する木口材５０を介して縦框溝１１Ａに嵌合し、他方の端部３０Ｄも木口材５０を介して縦框溝１１Ｂに嵌合している。
【００１６】
＜木口材＞
図２（ｂ）に示すように、縦框１０Ａと採光部３０との間、及び縦框１０Ｂと採光部３０との間には、それぞれ木口材５０，５０が設けられている。この木口材５０は、縦框１０Ａ（１０Ｂ）に沿って延びる長尺状の部材である。すなわち、木口材５０は、長手方向に直交する方向の一方側で縦框溝１１に嵌合すると共に、他方側で採光部３０を保持する長尺状の部材である。木口材５０は、対向する縦框１０Ａ，１０Ｂにそれぞれ対をなして設けられる。
図３は、木口材の構成を示す正面図である。図３に示すように、木口材５０は、保持部５１と一対の腕部５２，５２とを有する。木口材５０は断面が概ねΩ形状をなす長尺状の部材である。木口材５０の材料としては、成型の容易さから合成樹脂製が好ましい。
【００１７】
［保持部］
保持部５１は、Ｕ字状をなして、外周面側が縦框溝１１に嵌合すると共に、内周面側が採光部３０の表裏面を挟持して採光部３０を保持する部材である。
保持部５１は、所定の間隔を有して対向して配置された挟持片５１Ａ，５１Ａと、これら挟持片５１Ａ，５１Ａを、それぞれの一方の端部で連結した連結部５１Ｂとを有してなる。すなわち、挟持片５１Ａ，５１Ａのそれぞれの対向面５１Ａａ，５１Ａａと連結部５１Ｂの内側の面（対向面５１Ａａ，５１Ａａに連続する面）とが保持溝５１Ｃを形成する。この保持溝５１Ｃに採光部３０が嵌合（嵌入）されることによって、採光部３０の表裏面を対向面５１Ａａ，５１Ａａが挟持する態様となり、採光部３０が保持部５１によって保持される。
【００１８】
一方、挟持片５１Ａ，５１Ａの外側の面（対向面５１Ａａ，５１Ａａと反対側の面）５１Ａｂ，５１Ａｂと、連結部５１Ｂの外側の面（挟持片５１Ａ，５１Ａの外側の面５１Ａｂ，５１Ａｂに連続する面）とが縦框溝１１に嵌合する。このようにして縦框１０に固定された木口材５０は、一対の縦框溝１１Ａ，１１Ｂに沿って形成された保持溝５１Ｃ，５１Ｃと、一対の横框溝２１Ａ，２１Ｂとに採光部３０を嵌合させて採光部３０が固定される。ここで、縦框１０Ａ，１０Ｂに対する木口材５０の固定方法は、木口材５０がその機能を損なうことなく固定されれば特に制限はなく、目的に応じて適宜選択される。縦框１０Ａ，１０Ｂに対する木口材５０の固定には、例えば、接着剤や両面テープ等が用いられる。
【００１９】
［腕部］
また、一対の腕部５２，５２は、それぞれ長尺の平板形状をなし、一方の端部が保持部５１の両端部（挟持片５１Ａ，５１Ａの他方の端部）にそれぞれ連結された部材である。一対の腕部５２，５２は、木口材５０が縦框１０（１０Ａ，１０Ｂ）に設置された際に、それぞれ縦框１０（１０Ａ，１０Ｂ）の対向面１０ａ（１０Ａａ，１０Ｂａ）に沿って延びるように形成される。すなわち、一対の腕部５２，５２は、縦框１０の対向面１０ａを覆う寸法で形成されることが好ましい。また、縦框１０に木口材５０を設置した際には、腕部５２，５２が対向面１０ａ（１０Ａａ，１０Ｂａ）に当接することが好ましい。
【００２０】
ここで、本実施形態のドアに用いられる木口材５０においては、図３に示すように、それぞれの腕部５２の他方の端部（先端部）には、腕部５２を基準として保持部５１が突出する向きに突出した突出部５３が設けられている。そして、突出部５３の内面（挟持片５１Ａの外側の面５１Ａｂに連続する面）５２ａは曲面として形成されている。
このように腕部５２に突出部５３が設けられ、内面５２ａが曲面をなすことによって、縦框１０の角部の損傷を低減することができる。また、採光部３０の周囲の意匠性を維持、向上させることができる。
【００２１】
以上説明したように、本実施形態によれば、木口材５０を縦框１０に設けたので、採光部３０のがたつきや縦框１０の損傷をできる限り防ぐことができ、意匠性を維持、向上させるドア１を得ることができる。
また、本実施形態によれば、木口材５０を縦框１０に設けたので、採光部３０が保護されるだけでなく、少なくとも縦框１０と採光部３０との密閉性が向上され、異物混入などによる耐久性低下を低減することができる。また、木口材５０が対向面１０ａに設置された縦框（及び横框）１０は、化粧シート４０を対向面１０ａ以外の３面に貼着するだけでよく、化粧シート４０を４面に貼着する従来のドアよりも製造コストを低減できる。さらに、側面に貼着された化粧シート４０の幅方向の端部の余剰部分は、木口材５０が覆うことによって意匠性を向上させることができる。
【００２２】
（変形例）
上述した第１実施形態においては、木口材５０を縦框１０のみ（縦框１０Ａ，１０Ｂのそれぞれ）に設けたが、木口材５０は、一対の縦框１０Ａ，１０Ｂのそれぞれの対向面１０Ａａ，１０Ｂａ、及び一対の横框２０Ａ，２０Ｂのそれぞれの対向面２０Ａａ，２０Ｂａの少なくとも何れか一方に対向配置されればよい。
すなわち、第１実施形態の変形例として、木口材５０を横框２０だけに設けてもよいし、縦框１０及び横框２０に設けてもよい。なお、木口材５０を横框２０に設ける場合には、縦框１０と同様に、横框２０にも横框溝２１を形成し、この横框溝２１に木口材５０の保持部５１が嵌合する。
【００２３】
このように、木口材５０は、目的に応じて縦框１０又は横框２０に設けることで、その目的に特化した顕著な効果を奏する。また、特に、木口材５０を縦框及び横框に設けた場合には、採光部３０は、その周囲に亘って木口材５０を介して縦框溝１１及び横框溝２１に嵌合して固定されることとなる。このとき、横框２０Ａ，２０Ｂに対する木口材５０の固定方法も、上述した縦框１０Ａ，１０Ｂに対する木口材５０の固定方法と同様に、木口材５０がその機能を損なうことなく固定されれば特に制限はなく、目的に応じて適宜選択され、例えば、接着剤や両面テープ等が用いられる。
このようにすることで、採光部３０がより強固に固定され、がたつきを低減させることができると共に、異物の侵入をさらに防ぐことができる。
【００２４】
（第２実施形態）
次に、ドアの第２実施形態について説明する。なお、本実施形態の説明では、上述した第１実施形態との相違点を中心に説明し、上述の第１実施形態と同じ符号を付した同様の構成については説明を省略することがある。
図４は、ドアの第２実施形態における木口材の構成を示す正面図である。
図４に示すように、本実施形態のドア１の木口材５０は、腕部５２，５２の先端部の外面５２ｂ（内面５２ａの反対側の面）が、保持部５１，５１が突出する向きと同じ向きに凹とした曲面をなした曲面部５４を形成してもよい。
このように構成することにより、採光部３０の周囲に配置される縦框１０（及び横框２０）の縁部が曲面で構成されるので、意匠性を向上させることができる。
【００２５】
（第３実施形態）
次に、ドアの第３実施形態について説明する。なお、本実施形態の説明でも、上述した第１実施形態との相違点を中心に説明し、上述の第１実施形態と同じ符号を付した同様の構成については説明を省略することがある。
図５は、ドアの第３実施形態における木口材の構成を示す正面図である。
図５に示すように、本実施形態のドア１は、木口材５０の保持部５１と腕部５２，５２との連結部分に、腕部５２に対して保持部５１が突出する向きと反対側に突出する第２突出部５５，５５が形成されてもよい。
このように第２突出部５５を設けることによって、採光部３０と木口材５０との接触部分の意匠性が向上する。また、木口材５０の保持部５１に採光部３０を嵌入（嵌合）させる際にも、第２突出部５５，５５がガイドとなって採光部３０を保持部５１の保持溝５１Ｃにスムーズに誘導することができ、作業効率も向上する。
【００２６】
（第４実施形態）
次に、ドアの第４実施形態について説明する。なお、本実施形態の説明でも、上述した第１実施形態との相違点を中心に説明し、上述の第１実施形態と同じ符号を付した同様の構成については説明を省略することがある。
図６は、ドアの第４実施形態における木口材の構成を示す正面図である。また、図７は、ドアの第４実施形態における左右方向（縦框が対向する方向）に沿う断面図である。
図６に示すように、本実施形態のドア１は、木口材５０の腕部５２，５２にアンカー部５６を有してもよい。具体的には、腕部５２に、その腕部５２を基準として保持部５１が突出する向きと同じ向きに突出するアンカー部５６が設けられてもよい。このアンカー部５６は、縦框１０（及び横框２０）の対向面１０ａ（２０ａ）側に木口材５０を設置する際、対向面１０ａ（２０ａ）へ挿入され、かつ縦框１０（及び横框２０）の内部で係止する係止部５６Ａを備えている。
【００２７】
このアンカー部５６は、縦框１０（及び横框２０）の内部において係止されて木口材５０を縦框１０（及び横框２０）に対して外れないように固定させる態様であれば、設置態様は特に限定されない。例えば、図７に示すように、アンカー部５６を対向面１０ａ（２０ａ）から縦框１０（及び横框２０）の内部に向けて圧入させてもよいし、対向面１０ａ（２０ａ）から縦框１０（及び横框２０）の内部に向けて孔を形成し、この孔にアンカー部５６を挿入してもよい。例えば、この孔は係止部５６Ａがないことを想定したアンカー部５６のサイズに合わせて形成することで係止部５６Ａがこの孔の壁部に係止されるようにすることが好ましい。
【００２８】
（第５実施形態）
次に、ドアの第５実施形態について説明する。なお、本実施形態の説明でも、上述した第１実施形態との相違点を中心に説明し、上述の第１実施形態と同じ符号を付した同様の構成については説明を省略することがある。
図８は、ドアの第５実施形態における木口材の構成を示す正面図である。
図８に示すように、本実施形態のドア１の木口材５０は、採光部３０の表裏面を挟持する保持部５１の挟持片５１Ａ，５１Ａの間隔（対向面５１Ａａ，５１Ａａ）が、保持部５１の突出する向きにつれて短くなってもよい。
このように、保持溝５１Ｃの内面をテーパ状とすることで、保持溝５１Ｃに採光部３０を嵌入（嵌合）させる際、より強固に採光部３０が保持溝５１Ｃに挟持され、採光部３０のがたつきや、異物の混入をさらに低減できる。
【００２９】
なお、以上説明した実施形態は、本発明の技術的思想を具体化するための構成を例示するものであって、本発明の技術的思想は、構成部品の材質、形状、構造、配置等を上記のものに特定するものでない。本発明の技術的思想は、特許請求の範囲に記載された請求項が規定する技術的範囲内において、種々の変更を加えることができる。
また、実施形態中の図面は模式的なものであり、厚みと平面寸法との関係、各層の厚みの比率等は現実のものとは異なることに留意すべきである。したがって、具体的な厚みや寸法は上記説明を参酌して判断すべきものである。
【産業上の利用可能性】
【００３０】
以上説明したドアは、蝶番を設けて開閉式の扉に用いてもよいし、引き戸に用いても好適である。
【符号の説明】
【００３１】
１  ドア
１０（１０Ａ，１０Ｂ）  縦框
１０ａ（１０Ａａ，１０Ｂａ）  （縦框の）対向面
１１（１１Ａ，１１Ｂ）  縦框溝
２０（２０Ａ，２０Ｂ）  横框（上桟，下桟）
２０ａ（２０Ａａ，２０Ｂａ）  （横框の）対向面
３０  採光部
４０  化粧シート
５０  木口材
５１  保持部
５１Ａ  挟持片
５２  腕部
５３  突出部
５４  曲面部
５５  第２突出部
５６  アンカー部
５６Ａ  係止部
【図１】
2017110422.tif 000003
【図２】
2017110422.tif 000004
【図３】
2017110422.tif 000005
【図４】
2017110422.tif 000006
【図５】
2017110422.tif 000007
【図６】
2017110422.tif 000008
【図７】
2017110422.tif 000009
【図８】
2017110422.tif 000010
【図９】
2017110422.tif 000011
【図１０】
2017110422.tif 000012